(57)【要約】【課題】騒音を抑えつつ、所期の信頼性を確保することが可能なプロジェクターを提供すること。【解決手段】光を射出する光源装置と、前記光源から射出された光を画像情報に応じて変調する光変調素子と、変調された光を投射する投射レンズと、気体を吐出する吐出口を有し、前記気体を前記吐出口から供給し前記光変調部を冷却する１つの冷却ファンと、前記吐出口に連通し、前記光変調部へ向けられた排気口を有し、前記吐出口から前記気体を一方向に前記排気口に導くダクトと、を備える。【選択図】図１
2014085390.tif 000002
【特許請求の範囲】
【請求項１】
光を射出する光源装置と、
前記光源から射出された光を画像情報に応じて変調する光変調素子と、
変調された光を投射する投射レンズと、
気体を吐出する吐出口を有し、前記気体を前記吐出口から供給し前記光変調部を冷却する１つの冷却ファンと、
前記吐出口に連通し、前記光変調部へ向けられた排気口を有し、前記吐出口から前記気体を一方向に前記排気口に導くダクトと、を備えるプロジェクター。
【請求項２】
請求項１に記載のプロジェクターであって、
前記光変調素子は、青色光、緑色光、および赤色光をそれぞれ変調する３つの光変調素子を含み、
前記排気口は、前記３つの光変調素子のそれぞれに、前記気体を排出する３つの排気口を含むプロジェクター。
【請求項３】
請求項２に記載のプロジェクターであって、
前記３つの排気口のうち前記緑色光を変調する光変調素子に向けられる緑色用排気口は、他の２つの排気口よりも開口面積が大きいプロジェクター。
【請求項４】
請求項３に記載のプロジェクターであって、
前記ダクトは、前記吐出口から前記気体が吐出される方向から前記排気口から前記気体が排出される方向に直交する方向に湾曲する湾曲部を有し、
前記緑色用排気口は、他の２つの排気口に対して、前記湾曲部の外側に対応する位置に配置されているプロジェクター。
【請求項５】
請求項１から請求項４のいずれか一項に記載のプロジェクターであって、
前記光源装置から射出された光を前記光変調素子へ導く光学系を備え、
前記ダクトは、
前記空気を前記光学系に流通させる第二流通部と、
前記第二流通部に設けられ、前記光学系に向けて前記空気を排出する第二排気口と、を有するプロジェクター。
【請求項６】
請求項１から請求項５のいずれか一項に記載のプロジェクターであって、
前記ダクトは、前記排気口から排出される気体を前記光変調部へ向けて案内するガイド部を有するプロジェクター。
【発明の詳細な説明】
【技術分野】
【０００１】
本発明は、プロジェクターに関する。
【背景技術】
【０００２】
従来、光源から射出された光を画像情報に応じて変調する光変調部を有し、当該光変調部による変調光を投射する光学ユニットと、当該変調光を投写する投射レンズとを備えるプロジェクターが知られている。このようなプロジェクターでは、光学ユニットの温度が上昇すると信頼性が低下する場合があるため、光変調部などの光学ユニットを冷却する冷却ファンが設けられている（例えば、特許文献１参照）。
【先行技術文献】
【特許文献】
【０００３】
【特許文献１】特開２００３−６６５３３号公報
【発明の概要】
【発明が解決しようとする課題】
【０００４】
しかしながら、特許文献１のような構成では、ダクト内の圧力損失が大きく、冷却対象物を要求温度に抑えるためには高回転でファンを駆動するか、複数のファンを用いる必要がある。この場合、騒音が大きくなるという問題がある。また、複数のファンを用いた場合、コストが増大する上に、複数の冷却ファンを配置するためのスペースも必要となり、プロジェクターの大型化の要因になり得る。
【０００５】
以上のような事情に鑑み、本発明は、騒音およびコストを抑えつつ、また、プロジェクターの大型化を抑え、効率的な冷却を確保することが可能なプロジェクターを提供することを目的の一つとする。
【課題を解決するための手段】
【０００６】
本発明に係るプロジェクターは、光を射出する光源装置と、前記光源から射出された光を画像情報に応じて変調する光変調素子と、変調された光を投射する投射レンズと、気体を吐出する吐出口を有し、前記気体を前記吐出口から供給し前記光変調部を冷却する１つの冷却ファンと、前記吐出口に連通し、前記光変調部へ向けられた排気口を有し、前記吐出口から前記気体を一方向に前記排気口に導くダクトと、を備える。
【０００７】
本発明によれば、ダクトにおいて冷却ファンの吐出口から排気口まで一方向に気体が導かれるため、気体の拡散を規制しつつ当該気体を効率的に光変調部に供給することができる。これにより、従来のような複数の冷却ファンが配置された構成ではなく、当該冷却ファンが１つ配置された構成であっても、所期の冷却効率で光変調部を冷却することができる。これにより、騒音を抑えつつ、所期の信頼性を確保することが可能となる。
【０００８】
上記のプロジェクターにおいて、前記光変調素子は、青色光、緑色光、および赤色光をそれぞれ変調する３つの光変調素子を含み、前記排気口は、前記３つの光変調素子のそれぞれに、前記気体を排出する３つの排気口を含むことが好ましい。  
本発明によれば、光変調素子が青色光、緑色光、および赤色光をそれぞれ変調する３つの光変調素子を含み、排気口が３つの光変調素子のそれぞれに、気体を排出する３つの排気口を含むため、３つの光変調素子に対して気体を効率的に供給することができる。
【０００９】
上記のプロジェクターにおいて、前記３つの排気口のうち前記緑色光を変調する光変調素子に向けられる緑色用排気口は、他の２つの排気口よりも開口面積が大きいことが好ましい。  
プロジェクターにおいて緑色光を変調する光変調素子は、他の光変調部よりも使用頻度が高くなる可能性がある。本発明によれば、当該緑色光を変調する光変調素子に向けられる緑色用排気口が、他の２つの排気口よりも開口面積が大きいため、緑色光を変調する光変調素子の冷却効率を他の光変調部に比べて高めることができる。
【００１０】
上記のプロジェクターにおいて、前記ダクトは、前記吐出口から前記気体が吐出される方向から前記排気口から前記気体が排出される方向に直交する方向に湾曲する湾曲部を有し、前記緑色用排気口は、他の２つの排気口に対して、前記湾曲部の外側に対応する位置に配置されていることが好ましい。  
本発明によれば、ダクトが排気口へ向けて湾曲して設けられているため、湾曲部の外側を流れる気体の流速は内側に対して大きくなる。この場合において、緑色用排気口が他の排気口に比べてダクトのうち湾曲部の外側に対応する位置に配置されているため、ダクトのうち気体の流速が大きい位置に緑色用排気口が配置されることになる。これにより、緑色用排気口から排出される気体の流速を大きくすることができるため、他の光変調部に比べて緑色用変調部の冷却効率を向上させることができる。
【００１１】
上記のプロジェクターにおいて、前記光源装置から射出された光を前記光変調素子へ導く光学系を備え、前記ダクトは、前記空気を前記光学系に流通させる第二流通部と、前記第二流通部に設けられ、前記光学系に向けて前記空気を排出する第二排気口と、を有することが好ましい。  
本発明によれば、光源装置から射出された光を光変調素子へ導く光学系を備え、ダクトが空気を光学系に流通させる第二流通部と、第二流通部に設けられ光学系に向けて空気を排出する第二排気口とを有するため、光学系についても有効的に冷却することができる。これにより、一層の信頼性向上につながる。
【００１２】
上記のプロジェクターにおいて、前記ダクトは、前記排気口から排出される気体を前記光変調部へ向けて案内するガイド部を有することが好ましい。  
本発明によれば、排出口から排出される気体についても、ガイド部によって拡散が規制されつつ光変調部へ向けて直線的に供給されるため、気体を効率的に光変調部に供給することができる。
【図面の簡単な説明】
【００１３】
【図１】本発明の実施の形態に係るプロジェクターの構成を模式的に示す図。
【図２】本実施形態に係る冷却装置の構成を示す斜視図。
【図３】本実施形態に係る冷却装置の構成を示す平面図。
【図４】本実施形態に係る冷却装置の構成を示す側面図。
【図５】本実施形態の変形例に係る冷却装置の構成を示す平面図。
【図６】本実施形態の変形例に係る冷却装置の構成を示す平面図。
【図７】本実施形態の変形例に係る冷却装置の構成を示す平面図。
【発明を実施するための形態】
【００１４】
以下、図面を参照して、本発明の実施の形態について説明する。なお、本実施形態は、本発明の一態様を示すものであり、この発明を限定するものではなく、本発明の技術的思想の範囲内で任意に変更可能である。また、以下の図面においては、各構成をわかりやすくするために、実際の構造における縮尺や数等が異なっている場合がある。
【００１５】
図１は、本実施形態に係るプロジェクター１の構成を模式的に示す図である。  
図１に示すように、プロジェクター１は、光源から射出される光を画像情報に応じて変調してカラー画像（画像光）を形成し、このカラー画像をスクリーン等の投射面（図示略）上に拡大投射する装置である。プロジェクター１は、略直方体状の外装筐体２と、投射レンズ３と、光学装置４と、冷却装置５とを備えている。また、図示を省略するが、上記構成に加えて、外装筐体２内には、プロジェクター１の内部の各構成部材に電力を供給する電源装置、プロジェクター１の内部の各構成部材を制御する制御装置、内部空間の空気を外部に排出する排気ファンなどが配置されている。
【００１６】
光学装置４は、前述した制御装置による制御の下、光源から射出された光を光学的に処理することで画像情報に応じたカラー画像を形成する。この光学装置４は、光源装置４１と、照明光学装置４２と、色分離光学装置４３と、リレー光学装置４４と、画像形成系４５と、これら各光学部品を内部に設定された照明光軸Ａに対する所定位置に配置する光学部品用筐体４６と、を備える。
【００１７】
光源装置４１は、光を射出する光源ランプ４１１と、光源ランプ４１１から射出される光の射出方向を揃えるリフレクタ４１２とを備える。そして、リフレクタ４１２にて射出方向が揃えられた光は、照明光学装置４２に向けて射出される。
【００１８】
照明光学装置４２は、第１レンズアレイ４２１、第２レンズアレイ４２２、偏光変換素子４２３、及び重畳レンズ４２４を備える。そして、光源装置４１から射出された光は、第１レンズアレイ４２１によって複数の部分光に分割され、第２レンズアレイ４２２の近傍で結像する。第２レンズアレイ４２２から射出された各部分光は、その中心軸（主光線）が偏光変換素子４２３の入射面に垂直となるように入射し、偏光変換素子４２３にて略１種類の直線偏光として射出される。偏光変換素子４２３から直線偏光として射出され、重畳レンズ４２４を介した複数の部分光は、冷却対象物である画像形成系４５の後述する３つの液晶ライトバルブ（光変調素子）４５１上で重畳する。
【００１９】
色分離光学装置４３は、２つのダイクロイックミラー４３１，４３２、及び反射ミラー４３３を備え、照明光学装置４２から射出された複数の部分光を赤、緑、青の３色の色光に分離する機能を有する。
【００２０】
リレー光学装置４４は、入射側レンズ４４１、リレーレンズ４４３、及び反射ミラー４４２，４４４を備え、色分離光学装置４３にて分離された色光、例えば、赤色光を画像形成系４５の後述する赤色光側の液晶ライトバルブ４５１Ｒまで導く機能を有する。
【００２１】
画像形成系４５は、入射した光を画像情報に応じて変調してカラー画像を形成するものである。この画像形成系４５は、３つの液晶ライトバルブ４５１（赤色光用の液晶ライトバルブを４５１Ｒ、緑色光用の液晶ライトバルブを４５１Ｇ、青色光用の液晶ライトバルブを４５１Ｂとする）と、各液晶ライトバルブ４５１の光路前段側に配置される入射側偏光板４５２と、各液晶ライトバルブ４５１の光路後段側に配置される射出側偏光板４５３と、クロスダイクロイックプリズム４５４とを備える。
【００２２】
各入射側偏光板４５２は、偏光変換素子４２３で揃えられた偏光方向と略同一の偏光方向を有する光のみ透過させ、その他の光を吸収するものであり、透光性基板上に偏光膜が貼付されて構成されている。液晶ライトバルブ４５１は、前述した制御装置からの駆動信号によって液晶の配向状態が制御されることで入射側偏光板４５２から射出された光の偏光方向を変調する。各射出側偏光板４５３は、入射側偏光板４５２と略同様の機能を有し、液晶ライトバルブ４５１にて変調された光のうち、一定の偏光方向を有する光を透過し、その他の光を吸収する。
【００２３】
色分離光学装置４３からの青色光は、液晶ライトバルブ４５１Ｂに供給される。ここで、ダイクロイックミラー４３１で反射した青色光が、反射ミラー４３３で反射され、フィールドレンズ７０１及び入射側偏光板４５２を介して液晶ライトバルブ４５１Ｂに入射する。
【００２４】
色分離光学装置４３からの緑色光は、液晶ライトバルブ４５１Ｇに供給される。ここで、ダイクロイックミラー４３２で反射した緑色光が、フィールドレンズ７０１及び入射側偏光板４５２を介して液晶ライトバルブ４５１Ｇに入射する。
【００２５】
色分離光学装置４３からの赤色光は、液晶ライトバルブ４５１Ｂに供給される。ここで、ダイクロイックミラー４３２を透過した赤色光は、リレー光学装置４４（入射側レンズ４４１、リレーレンズ４４３、反射ミラー４４２，４４４）、フィールドレンズ７０１及び入射側偏光板４５２を介して液晶ライトバルブ４５１Ｒに入射する。
【００２６】
クロスダイクロイックプリズム４５４は、各射出側偏光板４５３から射出された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これらの誘電体多層膜は、液晶ライトバルブ４５１Ｇから射出され射出側偏光板４５３を介した色光を透過し、液晶ライトバルブ４５１Ｒ，４５１Ｂから射出され射出側偏光板４５３を介した各色光を反射する。このようにして、各色光が合成されてカラー画像が形成される。
【００２７】
投射レンズ３は、複数のレンズを組み合わせた組レンズとして構成されている。投射レンズ３は、クロスダイクロイックプリズム４５４で形成されたカラー画像を拡大投射する。
【００２８】
冷却装置５は、外装筐体２の底部などに形成された吸気口２Ａに接続され、外気を外装筐体２内に吸引して吐出する冷却ファン５０と、冷却ファン５０を介して吸い込んだ空気を冷却風として、吐出口５０ａから各液晶ライトバルブ４５１へ流通させるダクト７０と、吸気口に設けられたフィルター１２と、を備えている。ダクト７０は、冷却ファン５０が有する吐出口５０ａに連通している。
【００２９】
ダクト７０は、冷却ファン５０に接続された第一流通部７１と、画像形成系４５へ向けて気体を排出する第一排気部７２と、当該第一排気部７２から分岐された第二流通部７３と、照明光学装置４２へ向けて気体を排出する第二排気部７４とを有している。
【００３０】
第一流通部７１は、冷却ファン５０の吐出口５０ａから画像形成系４５へ向けて一方向に伸びるように直線状に形成されている。第一流通部７１は、冷却ファン５０から供給される気体を第一排気部７２へ向けて流通させる。第一流通部７１は、冷却ファン５０と第一流通部７１との接続部分及び第一流通部７１の一部は、冷却ファン５０の吐出口５０ａから気体を吐出方向から、後述する排気口８０から気体が排出される方向に直交する方向へ湾曲するように形成されている。すなわち、ダクト７０は、前述のように湾曲する湾曲部７５ａを有する。このため、湾曲部７５ａの外側を流れる気体の流速は、内側を流れる気体の流速よりも大きくなる。
【００３１】
第一排気部７２は、平面視において画像形成系４５に重なる位置に配置されている。第一排気部７２は、画像形成系４５に対して外装筐体２の底面側に配置されている。第一排気部７２は、外装筐体２の底面側から天井側へ向けて画像形成系４５に対して気体を供給する。
【００３２】
第二流通部７３は、第一排気部７２から照明光学装置４２へ向けて一方向に伸びるように直線状に形成されている。第二流通部７３は、第一流通部７１に対して傾いた方向に延在している。第二流通部７３は、第一排気部７２に供給された気体の一部を第二排気部７４へ向けて流通させる。
【００３３】
第二排気部７４は、平面視において照明光学装置４２に重なる位置に配置されている。第二排気部７４は、照明光学装置４２に対して外装筐体２の底面側に配置されている。第二排気部７４は、外装筐体２の底面側から天井側へ向けて照明光学装置４２に対して気体を供給する。
【００３４】
図２は、冷却装置５の構成を示す斜視図である。図３は、冷却装置５の構成を示す平面図である。図４は、冷却装置５の構成を示す側面図（一部断面を示す）である。図２〜図４においては、冷却ファン５０の一部を省略している。
【００３５】
図２〜図４に示すように、第一排気部７２は、矩形の箱状に形成されている。第一排気部７２の底部７５は、第一流通部７１側から第二流通部７３側にかけて、天井方向（外装筐体２の底部から離れる方向）に向けて湾曲するように形成されている。第一排気部７２の天井部７６は、画像形成系４５に対向して配置されている。第一排気部７２は、底部７５と、天井部７６と、これらを囲う側部（不図示）によって囲まれた中空部７２ａを有している。中空部７２ａは、第一流通部７１及び第二流通部７３に連通されている。例えば、冷却ファン５０の吐出口５０ａ、第一流通部７１の内部及び中空部７２ａについては、幅方向（第一流通部７１の延在方向に直交する方向）の寸法が等しくなるように形成されている。このため、吐出口５０ａから吐出された気体が中空部７２ａまで直線状に導かれることになる。
【００３６】
天井部７６には、液晶ライトバルブ４５１Ｒに向けられた排気口８０Ｒと、液晶ライトバルブ４５１Ｇに向けられた排気口８０Ｇと、液晶ライトバルブ４５１Ｂに向けられた排気口８０Ｂとが設けられている。排気口８０Ｒ、８０Ｇ、８０Ｂは、それぞれ平面視において矩形に形成されており、液晶ライトバルブ４５１Ｒ、４５１Ｇ、４５１Ｂに重なる位置に配置されている。
【００３７】
排気口８０Ｒ、８０Ｇ、８０Ｂは、第一排気部７２の外部と中空部７２ａとの間を連通するように天井部７６を貫通して設けられている。したがって、排気口８０Ｒ、８０Ｇ、８０Ｂは、平面視において中空部７２ａの内側の領域に配置されることになる。第一流通部７１から中空部７２ａに流れ込んだ気体は、排気口８０Ｒ、８０Ｇ、８０Ｂを介して第一排気部７２の外部へ排出されるようになっている。
【００３８】
また、天井部７６には、排気口８０Ｒの縁部に配置されたガイド部８１Ｒと、排気口８０Ｇの縁部に配置されたガイド部８１Ｇと、排気口８０Ｂの縁部に配置されたガイド部８１Ｂとが設けられている。ガイド部８１Ｒ、８１Ｇ、８１Ｂは、それぞれ排気口８０Ｒ、８０Ｇ、８０Ｂから排出される気体を液晶ライトバルブ４５１Ｒ、４５１Ｇ、４５１Ｂへ向けて案内する。
【００３９】
ガイド部８１Ｒ、８１Ｇ、８１Ｂは、天井部７６から液晶ライトバルブ４５１Ｒ、４５１Ｇ、４５１Ｂへ向けて伸びている。このため、排気口８０Ｒ、８０Ｇ、８０Ｂから排出される気体は、液晶ライトバルブ４５１Ｒ、４５１Ｇ、４５１Ｂへ向けて直線的に流れるように、当該液晶ライトバルブ４５１Ｒ、４５１Ｇ、４５１Ｂへ向けた方向とは異なる方向への拡散が規制されている。なお、ガイド部８１Ｒ、８１Ｇ、８１Ｂは、排気口８０Ｒ、８０Ｇ、８０Ｂのうち例えば２辺以上に配置されているため、気体の拡散をより有効的に規制することができるようになっている。
【００４０】
また、排気口８０Ｒ、８０Ｇ、８０Ｂのうち、緑色光を変調する液晶ライトバルブ４５１Ｇに向けられた排気口８０Ｇ（緑色用排気口）が最も大きな開口面積を有している。緑色光の変調は、他の光の変調に比べて高い頻度で行われる場合が多い。このため、液晶ライトバルブ４５１Ｇは、他の液晶ライトバルブ４５１Ｒ、４５１Ｂに比べて頻繁に動作を行うことになり、温度が上昇しやすくなる。排気口８０Ｇの開口面積を他の排気口８０Ｒ、８０Ｂの開口面積よりも大きくすることにより、液晶ライトバルブ４５１Ｇに供給される気体の量を他の液晶ライトバルブ４５１Ｒ、４５１Ｂに比べて多くすることができるため、液晶ライトバルブ４５１Ｇの冷却効率が他の液晶ライトバルブ４５１Ｒ、４５１Ｂよりも高められる。このように、液晶ライトバルブ４５１Ｒ、４５１Ｇ、４５１Ｂの使用頻度に応じて冷却効率を設定することにより、バランスに優れた冷却が可能となる。
【００４１】
同様の観点から、例えば図３に示すように、平面視における排気口８０Ｇの配置は、他の排気口８０Ｒ、８０Ｂよりも図中下側に配置されている。上記のように、冷却ファン５０と第一流通部７１との接続部分及び第一流通部７１の一部が冷却ファン５０の回転方向に沿って湾曲するように形成されているため、湾曲部分の外側を流れる気体の流速は、内側を流れる気体の流速よりも大きくなる。中空部７２ａに流れ込む気体についても同様の流速分布となる。図３における下側は、この湾曲部分の外側に対応しており、図３における上側よりも気体の流速が大きい部分である。したがって、排気口８０Ｇは、中空部７２ａのうち他の排気口８０Ｒ、８０Ｂに比べて気体の流速が大きい部分に連通されている。このため、液晶ライトバルブ４５１Ｇに供給される単位時間当たりの気体の量を他の液晶ライトバルブ４５１Ｒ、４５１Ｂに比べて多くすることができる。よって、液晶ライトバルブ４５１Ｇの冷却効率は、他の液晶ライトバルブ４５１Ｒ、４５１Ｂよりも高くなる。
【００４２】
また、図２〜図４に示すように、第二排気部７４は、第一排気部７２と同様、矩形の箱状に形成されており、内部に中空部（図示省略）を有している。第二排気部７４の底部は、図示を省略するが、第一排気部７２の底部７５と同様に天井方向（外装筐体２の底部から離れる方向）に向けて湾曲するように形成されている。第二排気部７４の天井部７７は、照明光学装置４２に対向して配置されている。
【００４３】
天井部７７には、照明光学装置４２に向けられた排気口８０Ｐと、当該排気口８０Ｐの縁部に配置されたガイド部８１Ｐとが設けられている。排気口８０Ｐは、平面視において照明光学装置４２に重なる位置に配置されている。排気口８０Ｐは、第二排気部７４の外部と中空部との間を連通するように天井部７７を貫通して設けられている。第二流通部７３から第二排気部７４の中空部に流れ込んだ気体は、排気口８０Ｐを介して第二排気部７４の外部へ排出されるようになっている。
【００４４】
また、ガイド部８１Ｐは、排気口８０Ｐから排出される気体を照明光学装置４２へ向けて案内する。ガイド部８１Ｐは、天井部７７から照明光学装置４２へ向けて伸びている。このため、排気口８０Ｐから排出される気体は、照明光学装置４２へ向けて直線的に流れるように、当該照明光学装置４２へ向けた方向とは異なる方向への拡散が規制されている。なお、ガイド部８１Ｐは、排気口８０Ｐのうち例えば２辺以上に配置されているため、気体の拡散をより有効的に規制することができるようになっている。
【００４５】
上記のように構成されたプロジェクター１を使用する場合、光学装置４から射出された光束により、偏光変換素子４２３や画像形成系４５（液晶ライトバルブ４５１、入射側偏光板４５２、射出側偏光板４５３）等が発熱する。例えば液晶ライトバルブ４５１が発熱して高温状態になると、液晶の動作不良やライトバルブの劣化が生じ、これにより光変調動作が不良となることで良好なカラー画像が表示できなくなるといった問題が生じてしまう。また、照明光学装置４２が光を吸収して高温状態になると、偏光変換素子４２３において偏光変換不良が生じてしまう。
【００４６】
これに対して、上記構成のプロジェクター１では、画像形成系４５及び照明光学装置４２を冷却装置５で冷却することで液晶ライトバルブ４５１及び偏光変換素子４２３を一定温度以下に保持するようにしている。
【００４７】
この場合において、冷却ファン５０から供給される気体は、ダクト７０によって気体の拡散を規制されつつ一方向に排気口８０Ｒ、８０Ｇ、８０Ｂへ導かれるため、気体を効率的に液晶ライトバルブ４５１Ｒ、４５１Ｇ、４５１Ｂに供給することができる。これにより、従来のような複数の冷却ファンが配置された構成ではなく、当該冷却ファン５０が１つ配置された構成であっても、所期の冷却効率で液晶ライトバルブ４５１Ｒ、４５１Ｇ、４５１Ｂを冷却することができる。これにより、騒音を抑えつつ、所期の信頼性を確保することが可能なプロジェクター１を提供することができる。
【００４８】
また、本実施形態によれば、プロジェクター１において他の液晶ライトバルブ４５１Ｒ、４５１Ｂよりも使用頻度が高くなる可能性の高い緑色光用の液晶ライトバルブ４５１Ｇについて、当該液晶ライトバルブ４５１Ｇに向けられる排気口８０Ｇが他の排気口８０Ｒ、８０Ｂよりも開口面積が大きいため、液晶ライトバルブ４５１Ｇの冷却効率を他の液晶ライトバルブ４５１Ｒ、４５１Ｂに比べて高めることができる。
【００４９】
また、本実施形態によれば、冷却ファン５０からダクト７０にかけての部分が湾曲して設けられているため、ダクト７０の湾曲部分の外側を流れる気体の流速は内側に対して大きくなる。この場合において、液晶ライトバルブ４５１Ｇに向けられた排気口８０Ｇが他の排気口８０Ｒ、８０Ｂに比べて当該湾曲部分の外側に対応する位置に配置されているため、気体の流速が大きい位置に排気口８０Ｇが配置されることになる。これにより、排気口８０Ｇから排出される気体の流速を大きくすることができるため、他の液晶ライトバルブ４５１Ｒ、４５１Ｂに比べて液晶ライトバルブ４５１Ｇの冷却効率を向上させることができる。
【００５０】
また、本実施形態によれば、ダクト７０が照明光学装置４２へ向けられた排気口８０Ｐを有するため、液晶ライトバルブ４５１Ｒ、４５１Ｇ、４５１Ｂのみならず、偏光変換素子４２３を含む照明光学装置４２についても有効的に冷却することができる。これにより、プロジェクター１の一層の信頼性向上につながる。
【００５１】
また、本実施形態によれば、排出口８０Ｒ、８０Ｇ、８０Ｂから排出される気体についても、ガイド部８１Ｒ、８１Ｇ、８１Ｂによって拡散が規制されつつ液晶ライトバルブ４５１Ｒ、４５１Ｇ、４５１Ｂへ向けて直線的に供給されるため、気体を効率的に液晶ライトバルブ４５１Ｒ、４５１Ｇ、４５１Ｂに供給することができる。
【００５２】
本発明の技術範囲は上記実施形態に限定されるものではなく、本発明の趣旨を逸脱しない範囲で適宜変更を加えることができる。  
例えば、上記実施形態においては、排気口８０Ｒ、８０Ｇ、８０Ｂ、８０Ｐの平面視における形状が矩形である場合を例に挙げて説明したが、これに限られることは無く、他の形状（例、円形、楕円形、多角形、直線及び曲線を組み合わせた閉じた形状、など）であってもよい。
【００５３】
また、ダクト７０の底部７５が天井部７６へ向けて湾曲した形状を有する構成を例に挙げて説明したが、これに限られることは無い。例えば、底部７５と天井部７６とが平行であってもよいし、底部７５が直線的に天井部７６へ近づくように傾斜する構成であってもよい。
【００５４】
また、上記実施形態の構成の他、例えば図５に示すように、排気口８０Ｒ、８０Ｇ、８０Ｂ及びガイド部８１Ｒ、８１Ｇ、８１Ｂが、冷却ファン５０の気体供給方向上に配置される平面に形成された構成であってもよい。この場合、冷却ファン５０から供給された気体がそのままの流れで排気口８０Ｒ、８０Ｇ、８０Ｂから排出されることになるため、気体の直進性を高めることができる。
【００５５】
また、上記実施形態では、第一排気部７２から分岐する第二流通部７３及び第二排気部７４が設けられる構成を例に挙げて説明したが、これに限られることは無い。例えば図６に示すように、第二流通部７３及び第二排気部７４が省略された構成であってもよい。この場合、排気口８０Ｒ、８０Ｇ、８０Ｂから排出される気体の流速が大きくなるため、気体の直進性を高められる。
【００５６】
また、上記実施形態では、第二流通部７３及び第二排気部７４が第一排気部７２から分岐された構成を例に挙げて説明したが、これに限られることは無い。例えば図７に示すように、第一排気部７２に排気口８０Ｒ、８０Ｇ、８０Ｂと排気口８０Ｐとが形成された構成であってもよい。
【符号の説明】
【００５７】
１…プロジェクター  ３…投射レンズ  ４…光学装置  ５…冷却装置  ４２…照明光学装置  ４５…画像形成系  ４６…光学部品用筐体  ５０…冷却ファン  ７０…ダクト  ７１…第一流通部  ７２…第一排気部  ７３…第二流通部  ７４…第二排気部  ８０Ｒ、８０Ｇ、８０Ｂ、８０Ｐ…排気口  ８１Ｒ、８１Ｇ、８１Ｂ、８１Ｐ…ガイド部  ４５１（４５１Ｒ、４５１Ｂ、４５１Ｇ）…液晶ライトバルブ
【図１】
2014085390.tif 000003
【図２】
2014085390.tif 000004
【図３】
2014085390.tif 000005
【図４】
2014085390.tif 000006
【図５】
2014085390.tif 000007
【図６】
2014085390.tif 000008
【図７】
2014085390.tif 000009